(57)【要約】【課題】指示体が表示画面に進入してから離脱するまでの複数の分割ストローク情報を一単位のストローク情報として扱うことを可能にする。【解決手段】第１の画像処理部３０は、電子ペン４が表示画面に進入した時点を始点として一定時間単位でストローク情報を分割して分割ストローク情報を連続して生成するストローク処理部３２と、ストローク処理部３２により生成された分割ストローク情報に当該ストロークが継続中であることを表す継続情報を付加して第２の画像処理部３０に送信する通信制御部６０と、電子ペン４が表示画面から離脱した場合に、ストローク処理部３２により生成された分割ストローク情報に当該ストロークが終了したことを表す終了情報を付加して第２の画像処理部に送信する通信制御部６０と、を備えたことを特徴とする。【選択図】図３
2016076775.tif 000002
【特許請求の範囲】
【請求項１】
表示手段と、
前記表示手段の表示画面に沿って移動することにより筆記操作を行う指示体と、
前記表示画面に沿って移動する前記指示体の各筆記座標を検知する座標検知手段と、
前記座標検知手段が検知した座標の座標情報に基づいて、前記筆記操作によるストロークについての座標情報をストローク情報として生成するストローク情報生成手段と、
前記指示体が前記表示画面に進入した時点を始点として一定時間単位で前記ストローク情報を分割して分割ストローク情報を連続して生成する分割生成手段と、
前記分割生成手段により生成された分割ストローク情報に当該ストロークが継続中であることを表す継続情報を付加して他の画像処理装置に送信する第１のストローク送信手段と、
前記指示体が前記表示画面から離脱した場合に、前記分割生成手段により生成された分割ストローク情報に当該ストロークが終了したことを表す終了情報を付加して前記他の画像処理装置に送信する第２のストローク送信手段と、
を備えたことを特徴とする画像処理装置。
【請求項２】
請求項１に記載の画像処理装置と、他の画像処理装置と、を備えた画像処理システムであって、
前記他の画像処理装置は、
前記画像処理装置から通信ネットワークを介して前記分割ストローク情報を受信する受信手段と、
前記分割ストローク情報の受信開始から前記終了情報までの前記分割ストローク情報を結合して第１の記憶手段に保存する結合保存手段と、
を備えたことを特徴とする画像処理システム。
【請求項３】
前記結合保存手段は、
前記受信手段により新たに受信した前記分割ストローク情報に継続情報が付加されている場合には、前記第１の記憶手段に保存中の分割ストローク情報に前記新たな分割ストローク情報を結合して前記第１の記憶手段に保存することを特徴とする請求項２に記載の画像処理システム。
【請求項４】
前記結合保存手段は、
前記受信手段により受信した前記分割ストローク情報に終了情報が付加されている場合には、前記第１の記憶手段に保存中の分割ストローク情報に前記新たな分割ストローク情報を結合し、前記結合後の一まとまりの分割ストローク情報をストローク情報として第２の記憶手段に保存することを特徴とする請求項３に記載の画像処理システム。
【請求項５】
前記結合保存手段は、
前記ストローク情報を第２の記憶手段に保存した後に、前記第１の記憶手段に保存中の分割ストローク情報を全て削除することを特徴とする請求項４に記載の画像処理システム。
【請求項６】
請求項１に記載の画像処理装置による画像処理方法であって、
前記指示体が前記表示画面に進入した時点を始点として一定時間単位で前記ストローク情報を分割して分割ストローク情報を連続して生成する分割生成ステップと、
前記分割生成ステップにより生成された分割ストローク情報に当該ストロークが継続中であることを表す継続情報を付加して他の画像処理装置に送信する第１のストローク送信ステップと、
前記指示体が前記表示画面から離脱した場合に、前記分割生成ステップにより生成された分割ストローク情報に当該ストロークが終了したことを表す終了情報を付加して前記他の画像処理装置に送信する第２のストローク送信ステップと、を実行することを特徴とする画像処理方法。
【請求項７】
前記他の画像処理装置は、
前記画像処理装置から通信ネットワークを介して前記分割ストローク情報を受信する受信ステップと、
前記分割ストローク情報の受信開始から前記終了情報までの前記分割ストローク情報を結合して第１の記憶手段に保存する結合保存ステップと、を実行することを特徴とする請求項６に記載の画像処理方法。
【請求項８】
請求項６に記載の各ステップをプロセッサに実行させることを特徴とするプログラム。
【請求項９】
請求項７に記載の各ステップをプロセッサに実行させることを特徴とするプログラム。
【発明の詳細な説明】
【技術分野】
【０００１】
本発明は、筆記されたストローク情報の共有に好適な画像処理装置、画像処理システム、画像処理方法、及びプログラムに関する。
【背景技術】
【０００２】
インターネット等の通信ネットワークを介して遠隔地との間で、ユーザが文字や数字、図形等のストローク画像を描画可能な電子黒板を用いた情報共有システムが既に知られている。
電子黒板を用いた情報共有システムにおいて、送信側端末で生成したストローク情報を受信側端末に送信する際のタイミングを制御する方式として、二つの方式が知られている。
第１の方式は、電子ペン（指示体）が電子黒板の表示画面に進入してから離脱するまでの間に発生したストローク情報をまとめて送信する方式であり、第２の方式は、一定時間以内に筆記された際のストローク情報を逐次送信する方式である。
このような第２の方式の一例として、特許文献１には、ストローク情報を２つの端末間で共有する目的で、一定時間経過後に送信側端末に表示されているストローク情報を受信側端末に転送するシステムが開示されている。
【発明の概要】
【発明が解決しようとする課題】
【０００３】
しかし、従来の第１の方式にあっては、送信側端末で電子ペンが表示画面に進入してから離脱するまでの時間が長時間に渡る場合、受信側端末でストローク情報が描画されていない時間が長時間に渡ることがあり、受信側のユーザがストローク画像の位置の変化を長時間に渡って視認できないといった問題があった。
一方、従来の第２の方式や、特許文献１にあっては、送信側端末では一定時間以内のストローク情報を逐次送信するため、一定時間以内の一単位のストローク情報が受信されることになり、電子ペンが表示画面に進入してから離脱するまでを一つのストローク情報として受信側端末において認識できないといった問題があった。
この結果、従来の受信側端末においては、一定時間以内での一単位のストローク情報に対しては、アンドゥ機能や削除機能といった機能操作を行えるが、電子ペンが表示画面に進入してから離脱するまでの一つのストローク情報を一定時間単位に分割して扱う場合、アンドゥ機能や削除機能といった機能操作を行えなかった。
本発明は、上記に鑑みてなされたもので、その目的は、指示体が表示画面に進入してから離脱するまでの１つのストローク情報を一定時間単位に分割して扱う場合でも、複数に分割されたストローク情報を１つのストローク情報に再現して扱うことを可能にすることにある。
【課題を解決するための手段】
【０００４】
請求項１記載の発明は、上記課題を解決するため、表示手段と、前記表示手段の表示画面に沿って移動することにより筆記操作を行う指示体と、前記表示画面に沿って移動する前記指示体の各筆記座標を検知する座標検知手段と、前記座標検知手段が検知した座標の座標情報に基づいて、前記筆記操作によるストロークについての座標情報をストローク情報として生成するストローク情報生成手段と、前記指示体が前記表示画面に進入した時点を始点として一定時間単位で前記ストローク情報を分割して分割ストローク情報を連続して生成する分割生成手段と、前記分割生成手段により生成された分割ストローク情報に当該ストロークが継続中であることを表す継続情報を付加して他の画像処理装置に送信する第１のストローク送信手段と、前記指示体が前記表示画面から離脱した場合に、前記分割生成手段により生成された分割ストローク情報に当該ストロークが終了したことを表す終了情報を付加して前記他の画像処理装置に送信する第２のストローク送信手段と、を備えたことを特徴とする。
【発明の効果】
【０００５】
本態様によれば、指示体が表示画面に進入してから離脱するまでの１つのストローク情報を一定時間単位に分割して扱う場合でも、複数に分割されたストローク情報を１つのストローク情報に再現して扱うことが可能になる。
【図面の簡単な説明】
【０００６】
【図１】画像処理システムの全体構成図の一例である。
【図２】電子黒板のハードウェア構成図の一例である。
【図３】電子黒板の機能ブロック図の一例である。
【図４】ファイル処理部の機能ブロック図の一例である。
【図５】通信制御部の機能ブロック図の一例である。
【図６】ページデータの構成を示す概念図である。
【図７】ストローク配列データの構成を示す概念図である
【図８】座標配列データの構成を示す概念図である。
【図９】メディアデータの構成を示す概念図である。
【図１０】各画像レイヤの合成処理について説明するための概念図である。
【図１１】送信側電子黒板でペンが接近又は接触してから離脱するまでの間でストローク情報を送信するシーケンスについて説明するための図である。
【図１２】送信側電子黒板において電子ペンがディスプレイ３に進入してから離脱するまでの分割ストローク情報を送信するためのフローチャートである。
【図１３】受信側電子黒板において、分割ストローク情報を受信し、結合、描画するためのフローチャートである。
【図１４】ページデータ記憶部のストローク管理テーブルのデータ構成について説明するための図である。
【図１５】座標配列データの構成を示す概念図である。
【図１６】送信側電子黒板と受信側電子黒板との間で通信される分割ストローク情報のデータ構成について説明するための図である。
【図１７】座標配列データの構成を示す概念図である。
【発明を実施するための形態】
【０００７】
本発明の実施の形態を説明する。本発明は、ストローク情報が一定時間以内に受信端末側に表示でき、かつ受信端末側において、電子ペンが離脱するまでの一単位でストロークのアンドゥや削除などの操作ができる電子黒板情報共有システムの実現に際して、以下の特徴を有する。要するに、電子ペンが表示画面に進入した時点を始点として一定時間単位で分割ストローク情報を端末に送信し、かつ受信端末側において受信した複数の分割ストローク情報を一単位のストロークとして結合させるために、分割ストローク情報の終端フラグに真偽を設定して送信することが特徴になっている。
上記記載の本発明の特徴について、以下の図面を用いて詳細に解説する。
【０００８】
＜システムの概要＞
図１は、本実施形態の画像処理システムの全体構成図である。なお、図１では、説明を簡略化するために、２台の電子黒板２ａ、２ｂ及びこれに付随する電子ペン４ａ、４ｂ等を示しているだけであって、３台以上の電子黒板や電子ペン等を利用してもよい。電子黒板２ａ、２ｂは特許請求の範囲の情報処理装置の一例である。
【０００９】
図１に示されているように、画像処理システム１は、複数の電子黒板２ａ、２ｂ、複数の電子ペン４ａ、４ｂ、ＵＳＢメモリ５ａ、５ｂ、ノートＰＣ（Personal Computer）６ａ、６ｂ、テレビ（ビデオ）会議端末７ａ、７ｂ、及びＰＣ８を有する。また、電子黒板２ａ、２ｂ、及びＰＣ８は、通信ネットワーク９を介して通信可能に接続されている。更に、複数の電子黒板２ａ、２ｂには、それぞれディスプレイ３ａ、３ｂが設けられている。
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
電子ペン４（指示体）は、ディスプレイ３ａ、３ｂの表示画面に沿って移動することにより筆記操作を行うものである。
【００１０】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、ＤｉｓｐｌａｙＰｏｒｔ、ＤＶＩ（Digital Visual Interface）、ＨＤＭＩ（登録商標）（High−Definition Multimedia Interface）及びＶＧＡ（Video Graphics Array）等の規格による通信が可能なケーブル１０ａ１を介して、ノートＰＣ６ａが接続されている。そして、電子黒板２ａでは、ディスプレイ３ａに対する接触によってイベントを発生させ、このイベントを示すイベント情報を、マウスやキーボード等の入力装置のイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００１１】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００１２】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００１３】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。
複数のＵＳＢメモリのうち任意のＵＳＢメモリを示す場合には「ＵＳＢメモリ５」と示す。複数のノートＰＣのうち任意のノートＰＣを示す場合には「ノードＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００１４】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、スマートフォン、ＰＤＡ、デジタルビデオカメラ、デジタルカメラ、ゲーム機等の画像フレームを供給可能な端末であってもよい。更に、通信ネットワークには、インターネット、ＬＡＮ（Local Area Network）、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００１５】
＜電子黒板のハードウェア構成＞
続いて、図２を用いて、本実施形態の電子黒板のハードウェア構成を説明する。なお、図２は、電子黒板のハードウェア構成図である。
【００１６】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００１７】
また、電子黒板２は、ノートＰＣ６がディスプレイに表示している静止画または動画を取り込むキャプチャデバイス１１１、グラフィクスを専門に扱うＧＰＵ（Graphics Processing Unit）１１２、及び、ＧＰＵからの出力画像をディスプレイ３やテレビ会議端末７へ出力するために画面表示の制御及び管理を行うディスプレイコントローラ１１３を備えている。
【００１８】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置（不図示）が、ディスプレイ３に平行して複数の赤外線を放射し、ディスプレイ３の周囲に設けられた反射部材によって反射されて、受光素子が放射した光の光路と同一の光路上を戻ってくる光を受光する方法である。接触センサ１１５は、物体によって遮断された２つの受発光装置が放射した赤外線のＩＤ（Identification）をセンサコントローラ１１４に出力し、センサコントローラ１１４が、物体の接触位置である座標位置を特定する。なお、以下に示す全てのＩＤは、識別情報の一例である。
【００１９】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２０】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００２１】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、及びセンサコントローラ１１４、及び、電子ペンコントローラ１１６を図２に示されているように電気的に接続するためのアドレスバスやデータバス等のバスライン１２０を備えている。
【００２２】
なお、電子黒板２用のプログラムは、ＣＤ−ＲＯＭ等のコンピュータで読み取り可能な記録媒体に記録して流通させるようにしてもよい。
【００２３】
＜電子黒板の機能構成＞
続いて、図３乃至図１０を用いて、電子黒板の機能構成について説明する。なお、先ずは、図３を用いて、電子黒板２の全体的な機能構成について説明する。図３は、電子黒板の機能ブロック図である。
【００２４】
電子黒板２は、図２に示されているハードウェア構成及びプログラムによって、図３に示されている各機能構成を有する。電子黒板２は、最初に遠隔共有処理を開始する「主催装置」となり得ると共に、すでに開始されている遠隔共有処理に後から参加する「参加装置」にもなり得る。電子黒板２は、主要な機能として、クライアント機２０及びサーバ機９０を有している。即ち、電子黒板２の１台の筐体内に、クライアント機２０及びサーバ機９０が含まれている。
クライアント部２０及びサーバ部９０は、電子黒板２の１台の筐体内で実現される機能である。そして、電子黒板２が主催装置となる場合には、この電子黒板２では、クライアント部２０とサーバ部９０が実現される。
また、電子黒板２が参加装置となる場合には、この電子黒板２では、クライアント部２０は実現されるが、サーバ部９０は実現されない。即ち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００２５】
〔クライアント機２０の機能構成〕
続いて、主に図３乃至図５を用いて、クライアント機２０の機能構成について説明する。クライアント機２０は、映像取得部２１、座標検知部２２、自動調整部２３、接触検知部２４、イベント振分部２５、操作処理部２６、ジェスチャ処理部２７、映像重畳部２８、指判別部２９−１、指入力開始待機タイマ２９−２、画像処理部３０、及び通信制御部６０を有する。
【００２６】
このうち、映像取得部２１は、ケーブル１０に接続されたノートＰＣ６等の映像出力機器の出力映像を取得する。映像取得部２１は、映像出力機器（ノートＰＣ６等）から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００２７】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。座標検知部２２は、ディスプレイ３の表示画面に沿って移動する電子ペン４の各筆記座標を検知して座標情報を出力する。
【００２８】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
【００２９】
接触検知部２４は、ユーザによって生じたイベント（ディスプレイ３上に電子ペン４のペン先又は電子ペン４のペン尻が押下（タッチ）された動作等）を検出する。
【００３０】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００３１】
図１０は、各画像レイヤの合成処理について説明するための概念図である。
ここで、「ストローク描画」は、ディスプレイ３上に図１０に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００３２】
「ＵＩ操作」は、ディスプレイ３上に図１０に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【００３３】
「ジェスチャ操作」は、ディスプレイ３上に図１０に示されている後述のストローク画像（Ｂ）が表示されている場合に、ユーザが手Ｈでディスプレイ３上をタッチしたり移動させたりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００３４】
操作処理部２６は、イベント振分部２５によってＵＩ操作と判断されたものから、イベントが発生されたＵＩの要素に従って、各種操作を実行する。このＵＩの要素としては、例えば、ボタン、リスト、チェックボックス、テキストボックスが挙げられる。ジェスチャ処理部２７は、イベント振分部２５によってジェスチャ操作と判断されたイベントに対し、座標の履歴などからジェスチャの内容を判別しジェスチャイベントを発生させる。
【００３５】
指判別部２９−１は、指によるスクリーンへの接触であることを判別する。座標検知部２２は赤外線遮断方式と三角測量により座標を検知するので、電子ペン以外の指示具による接触を検知できる。このため、指判別部２９−１により電子ペンの接触か、電子ペン以外の指示具による接触かを判別する。なお、電子ペン以外の指示具として指を例として説明するが、指でなくても赤外線の遮光は可能である。
【００３６】
指判別部２９−１は指の判別のため、イベント振分部２５から接触検知影像イベント、ペンダウンイベントを取得する。接触検知影像イベントは接触センサ１１５の検知エリア（スクリーンから数ｃｍ以下のスクリーンに平行なエリア）で遮光を検出したというイベントである。ペンダウンイベントは、接触検知部２４が電子ペン４のペン先、又は、電子ペン４のペン尻のタッチを検知したというイベントである。また、ペンアップイベントは、接触検知部２４が電子ペン４のペン先、又は、電子ペン４のペン尻が検知エリアからの離脱を検知したというイベントである。また、指判別部２９−１は、ジェスチャ処理部からジェスチャ中イベントを取得する。
【００３７】
指判別部２９−１は接触検知影像イベント、ペンダウンイベント、及び、ジェスチャ中イベントの有無、並びに、影像イベントの影像の大きさに応じて、指入力開始待機タイマ２９−２による時間の計測（カウント）を開始する。また、指判別部２９−１は指入力開始待機タイマ２９−２がカウントを開始すると、座標値を時系列に蓄積（キューイング）する。
【００３８】
指入力開始待機タイマ２９−２が所定時間以上の時間をカウントすると、指判別部２９−１は指で描画されていると判別して、マーカー処理部３８にキューイングしていた座標を伝達する。マーカー処理部３８は一連の座標をマーカー描画し、その後は取得した座標をマーカーの最後尾の座標としてマーカーの描画を継続する。
【００３９】
したがって、指判別部２９−１が指であると判別するとマーカー処理部３８がマーカーで描画し、電子ペンであると判別するとストローク処理部３２がペンでストロークを描画する。指判別部２９−１が指であると判別することをマーカーイベントが検知されたと称する場合がある。
【００４０】
映像重畳部２８は、後述の表示重畳部３６で重畳された画像を映像として映像出力器（ディスプレイ３）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【００４１】
画像処理部３０は、各画像レイヤの重畳処理等を行う。具体的な重畳例について適宜図１０を用いて説明する。画像処理部３０は、画像取得部３１、ストローク処理部３２、ＵＩ画像生成部３３、背景生成部３４、レイアウト管理部３５、マーカー処理部３８、コンテキスト処理部３９、表示重畳部３６、ページ処理部３７、ファイル処理部４０、ページデータ記憶部３００、及び遠隔ライセンス管理テーブル３１０を有している。
【００４２】
このうち、画像取得部３１は、映像取得部２１で取得された映像から、各フレームを画像として取得する。この画像は、図１０に示されている映像出力機器（ノートＰＣ６等）からの出力画像（Ｃ）に相当する。
【００４３】
ストローク処理部３２は、イベント振分部２５によって割り振られたストローク描画に係るイベントに基づいて、画像を描画したり、描画された画像を削除したり、描画された画像を編集する。このストローク描画による画像は、図１０に示されているストローク画像（Ｂ）に相当する。また、このストローク等に基づいた画像の描画、削除、編集の各結果は、後述の操作データとして、操作データ記憶部８４０に記憶される。
【００４４】
ＵＩ画像生成部３３は、電子黒板２に予め設定されているＵＩ（ユーザインターフェース）画像を生成する。このＵＩ画像は、図１０に示されているＵＩ画像（Ａ）に相当する。
【００４５】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図１０に示されている背景画像（Ｄ）に相当する。背景画像（Ｄ）のパターンは、無地、グリッド表示等である。
【００４６】
レイアウト管理部３５は、表示重畳部３６に対して、画像取得部３１、ストローク処理部３２、及び、ＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００４７】
コンテキスト処理部３９は、マーカーイベント、ジェスチャイベント、ページ作成・消去イベント、ファイル読み込みイベントを、通信制御部６０の遠隔コンテキスト送信部６８を介してサーバ機９０に送信する。また、コンテキスト処理部３９は、通信制御部６０の遠隔コンテキスト受信部６７から、マーカーイベント、ジェスチャイベント、ページ作成・消去イベント、ファイル読み込みイベントを取得する。また、通信制御部６０の参加拠点管理テーブル６１０から、他拠点参加イベント、他拠点退出イベントを取得する。コンテキスト処理部３９は、取得したイベントと拠点に応じて拠点画像を生成し、ディスプレイ３に表示する。なお、ページ作成・消去イベントはユーザがＵＩ画像に対しページ作成又は消去の操作を行うことで発生する。ファイル読み込みイベントはファイル入力部４２ａがファイルを読み込むことで発生する。他拠点参加イベントは、参加拠点管理テーブル６１０に新しく拠点が登録されることで発生する。他拠点退出イベントは参加拠点管理テーブル６１０から拠点が削除されることで発生する。
【００４８】
表示重畳部３６は、レイアウト管理部３５から出力されたレイアウト情報に基づき、画像取得部３１、ストローク処理部３２、ＵＩ画像生成部３３（背景生成部３４）、マーカー処理部３８、及び背景生成部３４から出力された各画像のレイアウトを行う。
【００４９】
ページ処理部３７は、ストローク画像（Ｂ）のデータと出力画像（Ｃ）のデータを、１つのページデータにまとめてページデータ記憶部３００に記憶する。
ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００５０】
また、ページ処理部３７は、一旦記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製したりすることもできる。
【００５１】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００５２】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトに従って重畳する。これにより、図１０に示されているように、各画像が重なってもユーザが見える順に、ＵＩ画像（Ａ）、ストローク画像（Ｂ）、出力画像（Ｃ）、及び背景画像（Ｄ）の各レイアの構成となっている。
【００５３】
また、表示重畳部３６は、図１０に示されている画像（Ｃ）と画像（Ｄ）を切り替えて画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、描画（Ｃ）を重畳対象から外し、画像（Ｄ）を表示させることができる。また、表示重畳部３６は、表示の拡大、表示の縮小、表示領域の移動処理も行う。
【００５４】
ページデータ記憶部３００は、図６に示されているようなページデータを記憶する。図６は、ページデータの構成を示す概念図である。ページデータは、ディスプレイ３に表示される１ページ分のデータ（ストローク配列データ（各ストロークデータ）及びメディアデータ）である。なお、ページデータに含まれるパラメータの種類が多いため、ここでは、図６乃至図９に分けて、ページデータの内容を説明する。
なお、ページデータ記憶部３００は、分割ストローク情報を管理・保存する分割ストローク管理テーブル３００ａと、ストローク情報を管理・保存するストローク管理テーブル３００ｂを有する。
【００５５】
ページデータは、図６に示されているように、任意の１ページを識別するためのページデータＩＤ、このページの表示を開始した時刻を示す開示時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図１０に示されているストローク画像（Ｂ）がディスプレイ３上に表示されるためのデータである。メディアデータは、後述の１６に示されている背景画像（Ｄ）がディスプレイ３上に表示されるためのデータである。
【００５６】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によって、アルファベット「Ｔ」を描く場合、二筆書きとなるため、ストロークデータＩＤが２つで一文字のアルファベット「Ｔ」が示されることになる。
【００５７】
また、ストローク配列データは、図７に示されているように詳細な情報を示している。図７は、ストローク配列データの構成を示す概念図である。図７に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００５８】
更に、この座標配列データは、図８に示されているように詳細な情報を示している。図８は、座標配列データの構成を示す概念図である。図８に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。
即ち、図８に示されている１点の集まりが、図７に示されている１つの座標配列データで示されている。例えば、ユーザが電子ペン４によって、アルファベット「Ｓ」を描く場合、一筆書きとなるが、「Ｓ」を描き終えるまでに、複数の通過点を通過するため、座標配列データは、これら複数の通過点の情報を示している。
【００５９】
また、図６に示されているページデータのうちのメディアデータは、図９に示されているように詳細な情報を示している。図９は、メディアデータの構成を示す概念図である。図９に示されているように、メディアデータは、図６に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００６０】
図３に戻り、遠隔ライセンス管理テーブル３１０は、遠隔共有処理を実行するために必要なライセンスデータを管理する。この遠隔ライセンス管理テーブル３１０では、電子黒板２のプロダクトＩＤ、認証に用いられるライセンスＩＤ、及びライセンスの有効期限が関連付けて管理されている。
【００６１】
（ファイル処理部４０の機能構成）
続いて、図４を用いて、図３に示されているファイル処理部４０の機能構成を説明する。なお、図４は、ファイル処理部の機能ブロック図である。以下では、最初に遠隔共有処理を開始する電子黒板２を「主催装置」、既に開始されている遠隔共有処理に後から参加する電子黒板２を「参加装置」と称して説明する。
【００６２】
ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢメモリ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００６３】
ファイル入力部４２ａは、ＵＳＢメモリ５から、ＰＤＦファイルを読み込み、各ページをページデータとしてページデータ記憶部３００に記憶する。
ファイル変換部４３は、ページデータ記憶部３００に記憶されているページデータを、ＰＤＦ形式のファイルに変換する。
ファイル出力部４２ｂは、ファイル変換部４３によって出力されたＰＤＦファイルをＵＳＢメモリ５に記録する。
【００６４】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。
アドレス帳入力部４５は、ＵＳＢメモリ５から電子メールアドレスの一覧ファイルを読み込み、アドレス帳管理テーブル４１０に管理する。
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。
バックアップ出力部４７は、バックアップされたファイルをＵＳＢメモリ５に記憶する。この記憶の際には、ユーザによるタッチパネル等の入力装置の操作により、セキュリティーのためにパスワードが入力される。
【００６５】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ（Domain Name System）の設定等である。
設定ファイル出力部４９ｂは、電子黒板２の各種設定情報を、設定ファイルとしてＵＳＢメモリ５に記録させる。なお、設定ファイルはセキュリティーによって、ユーザは中身を見ることができない。
設定ファイル入力部４９ａは、ＵＳＢメモリ５に記憶されている設定ファイルを読み込み、各種設定情報を電子黒板の各種設定に反映させる。
アドレス帳入力部５０は、ＵＳＢメモリ５から遠隔共有処理の接続先ＩＰアドレスの一覧ファイルを読み込み、接続先管理テーブル４４０に管理する。
【００６６】
（通信制御部６０の機能構成）
次に、図５を用いて、通信制御部６０の機能構成について説明する。図５は、通信制御部６０の機能ブロック図である。通信制御部６０は、通信ネットワーク９を介して、他の電子黒板２と行う通信や、サーバ機９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、遠隔コンテキスト送信部６８、遠隔コンテキスト受信部６７、及び参加拠点管理テーブル６１０を有している。
このうち、遠隔開始処理部６１は、同じ電子黒板２のサーバ機９０に対して、新たに遠隔共有処理を開始する要求を行い、サーバ機９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【００６７】
参加拠点管理テーブル６１０は、電子黒板が主催装置である場合、現在、遠隔共有処理に参加している参加装置としての電子黒板を管理するテーブルである。
遠隔参加処理部６２は、通信ネットワーク９を介して、既に遠隔共有処理を開始している主催装置としての電子黒板２のサーバ機９０における遠隔接続要求受信部７１に対して、遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【００６８】
遠隔画像送信部６３は、映像取得部２１から画像取得部３１を介して送られて来た出力画像（Ｃ）を、サーバ機９０に送信する。
遠隔画像受信部６４は、サーバ機９０から、他の電子黒板２に接続された映像出力機器からの画像データを受信し、表示重畳部３６に出力することで、遠隔共有処理を可能にする。
遠隔操作送信部６５は、遠隔共有処理に必要な各種操作データをサーバ機９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ機９０から、他の電子黒板２で入力された操作データを受信し、画像処理部３０に出力することで、遠隔共有処理を行う。
遠隔コンテキスト送信部６８はコンテキスト処理部３９からマーカーイベント、ジェスチャイベント、ページ作成・消去イベント、ファイル読み込みイベントを取得し、遠隔コンテキストとしてサーバ機９０に送信する。
遠隔コンテキスト受信部６７はサーバ機９０から他の電子黒板で生じた上記イベント情報を取得し、画像処理部３０のコンテキスト処理部３９が拠点画像を表示する。
【００６９】
〔サーバ機の機能構成〕
続いて、図５を用いて、サーバ機９０の機能構成について説明する。サーバ機９０は、各電子黒板２に設けられており、いずれの電子黒板２であっても、サーバ機としての役割を果たすことができる。そのため、サーバ機９０は、通信制御部７０、及びデータ管理部８０を有している。
【００７０】
（通信制御部７０の機能構成）
次に、図５を用いて、通信制御部７０の機能構成について説明する。
通信制御部７０は、同じ電子黒板２内のクライアント機２０における通信制御部６０、及び、通信ネットワーク９を介して他の電子黒板２内のクライアント機２０における通信制御部７０との通信を制御する。データ管理部８０は、操作データや画像データ等を管理する。
更に詳細に説明すると、通信制御部７０は、遠隔接続要求受信部７１、遠隔接続結果送信部７２、遠隔画像受信部７３、遠隔画像送信部７４、遠隔操作受信部７５、遠隔操作送信部７６、遠隔コンテキスト受信部７８、及び、遠隔コンテキスト送信部７７、を有している。
このうち、遠隔接続要求受信部７１は、遠隔開始処理部６１からの遠隔共有処理の開始要求を受信したり、遠隔参加処理部６２からの遠隔共有処理に対する参加要求を受信したりする。遠隔接続結果送信部７２は、遠隔開始処理部６１へ遠隔共有処理の開始要求の結果を送信したり、遠隔参加処理部６２へ遠隔共有処理に対する参加要求の結果を送信したりする。
【００７１】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
遠隔コンテキスト受信部７８はクライアント機から遠隔コンテキストを受信し、遠隔操作処理部８３に出力する。遠隔操作処理部８３は自拠点の識別情報（例えばＩＰアドレス）を追加し、遠隔コンテキスト送信部７７に出力する。遠隔コンテキスト送信部７７が各クライアント機に遠隔コンテキストと自拠点の識別情報を送信する。
【００７２】
（データ管理部の機能構成）
次に、図５を用いて、データ管理部８０の機能構成について説明する。データ管理部８０は、遠隔接続処理部８１、遠隔画像処理部８２、遠隔操作処理部８３、操作合成処理部８４、及びページ処理部８５を有している。更に、サーバ機９０は、パスコード管理部８１０、参加拠点管理テーブル８２０、画像データ管理部８３０、操作データ記憶部８４０及び、ページデータ記憶部８５０、を有している。
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント機としての他の電子黒板２からの参加要求が予め定められた参加可能数を超えていないかを確認する。
更に、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置としての電子黒板２のユーザが、この電子黒板２にパスコードを入力して参加要求することで、参加が許可されることになる。なお、セキュリティーよりもユーザの使い勝手を優先して、ライセンス状況の確認だけで、パスコードの確認を省略してもよい。
【００７３】
また、遠隔接続処理部８１は、参加装置としての電子黒板２の遠隔参加処理部６２から通信ネットワーク９を介して送られて来た参加要求に含まれる参加拠点情報を、サーバ機９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【００７４】
遠隔画像処理部８２は、遠隔共有処理中の各電子黒板２のクライアント機（主催装置である自己の電子黒板のクライアント機を含む）に接続された映像出力機器（ノードＰＣ６等）からの画像データ（出力画像（Ｃ））を受信して画像データ管理部８３０に記憶すると共に、主催装置である自己の電子黒板２のサーバ機９０に届いた時間順で遠隔共有処理すべき画像データの表示順を判定する。また、遠隔画像処理部８２は、参加拠点管理テーブル８２０を参照し、遠隔共有処理に参加中の全ての電子黒板２のクライアント機２０（主催装置である自己の電子黒板のクライアント機を含む）に、通信制御部７０（遠隔画像送信部７４）を介して、上記判定した順番で画像データを送信する。
遠隔操作処理部８３は、遠隔共有処理中の各電子黒板２のクライアント機（主催装置である自己の電子黒板のクライアント機を含む）で描画されたストローク画像等の各種操作データ（ストローク画像（Ｂ）等）を受信し、主催装置である自己の電子黒板２のサーバ機９０に届いた時間順で遠隔共有処理すべき画像の表示順を判定する。なお、各種操作データは、上述の各種操作データと同じである。また、遠隔操作処理部８３は、参加拠点管理テーブル８２０を参照し、遠隔共有処理中の全ての電子黒板２のクライアント機２０（主催装置である自己の電子黒板のクライアント機を含む）に操作データを送信する。
【００７５】
操作合成処理部８４は、遠隔操作処理部８３から出力された各電子黒板２の操作データを合成し、この合成結果としての操作データを、操作データ記憶部８４０に記憶するとともに遠隔操作処理部８３に戻す。この操作データは、遠隔操作送信部７６から、主催装置である電子黒板のクライアント機、及び参加装置である電子黒板のクライアント機のそれぞれに送信されることで、各電子黒板２で同じ操作データに係る画像が表示される。
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
ページ処理部８５は、クライアント機２０の画像処理部３０におけるページ処理部３７と同様の機能を有し、サーバ機９０でも、図６乃至図８に示されているページデータを、ページデータ記憶部８５０に記憶する。なお、ページデータ記憶部８５０は、画像処理部３０におけるページデータ記憶部３００と同じ内容であるため、その説明を省略する。
【００７６】
＜実施形態の処理又は動作＞
次に、図１１乃至図１７を参照して、本実施形態での処理及び動作について説明する。
図１１は、送信側電子黒板２ａに電子ペンが進入（接近又は接触）してから離脱するまでの間でストローク情報を送信するシーケンスについて説明するための図である。図１１において、ステップＳ１ｘｘは送信側電子黒板２ａでの処理を表し、ステップＳ２ｘｘは受信側電子黒板２ｂでの処理を表す。
送信側電子黒板２ａにおいて、イベント振分部２５は、電子ペン４がディスプレイ３に進入して接近又は接触するとペンダウンイベントを検知する（Ｓ１０１）。
送信側電子黒板２ａに設けられた画像処理部３０のストローク処理部３２は、電子ペン４が表示画面に進入した時点を始点として一定時間単位でストローク情報を分割して分割ストローク情報を連続して生成する。送信側電子黒板２ａは、電子ペン４がディスプレイ３に接触してから一定時間が経過した場合に、分割ストローク情報を受信側電子黒板２ｂに送信する（Ｓ１０３）。
ここで、ストローク処理部３２は、生成された分割ストローク情報に当該ストロークが継続中であることを表す継続情報を付加して受信側電子黒板２ｂの画像処理部３０に送信する。
この結果、送信側電子黒板２ａから受信側電子黒板２ｂに、分割ストローク情報として、ストロークデータＩＤ、開始時刻、色、幅、座標配列、当該ストロークが継続中であることを表す継続情報として終端フラグ（：偽）が送信される（Ｓ１０９）。
一方、受信側電子黒板２ｂは、送信側電子黒板２ａから送信された分割ストローク情報を受信する（Ｓ２０１）。
【００７７】
ここで、送信側電子黒板２ａで描画されたストローク画像が受信側電子黒板２ｂのディスプレイ３に表示されるまでの処理について説明する。
まず、送信側電子黒板２ａは、ユーザが電子ペン４ａを用いて電子黒板２ａにストローク画像（Ｂ）を描画する。
【００７８】
次に、電子黒板２ａの表示重畳部３６は、図１０に示されているように、ＵＩ画像（Ａ）、出力画像（Ｃ）、及び背景画像（Ｄ）に対して、ストローク画像（Ｂ）を重畳し、映像重畳部２８が、電子黒板２ａのディスプレイ３ａ上に、重畳された重畳画像（Ａ、Ｂ、Ｃ、Ｄ）を表示させる。具体的には、電子黒板２ａのストローク処理部３２が座標検知部２１及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ａのディスプレイ３ａ上に重畳画像（Ａ、Ｂ、Ｃ）を表示させることができる。
【００７９】
次いで、電子黒板２ａのストローク処理部３２を含む画像処理部３０が、遠隔操作送信部６５にストローク画像（Ｂ）のデータを送信することで、電子黒板２ａの遠隔操作送信部６５は、通信ネットワーク２を介して、主催装置である電子黒板２ｂの通信制御部７０にストローク画像（Ｂ）のデータを送信する。これにより、電子黒板２ｂの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ａで描画されたストローク画像（Ｂ）のデータは、描画される度に、主催装置である電子黒板２ｂの遠隔操作処理部８３に順次送信される。このストローク画像（Ｂ）のデータは、図７に示されているストロークデータＩＤ毎に示されるデータである。
【００８０】
次に、主催装置である電子黒板２ｂは、ディスプレイ３ｂに、電子黒板２ａから送られて来たストローク画像（Ｂ）のデータが含まれた重畳画像（Ａ、Ｂ、Ｃ）を表示する。具体的には、電子黒板２ｂの操作合成処理部８４は、遠隔操作処理部８３を介して順次送られて来た複数のストローク画像（Ｂ）のデータを合成して、操作データ記憶部８４０に記憶するとともに遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ｂのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ、Ｂ、Ｃ）をディスプレイ３ｂ上に表示させる。
【００８１】
さらに、図１１に戻り、送信側電子黒板２ａは、前回の分割ストローク情報の送信から一定時間が経過した場合に、分割ストローク情報を受信側電子黒板２ｂに送信する（Ｓ１０３’）。
この結果、送信側電子黒板２ａから受信側電子黒板２ｂに、分割ストローク情報として、座標配列、当該ストロークが終了したことを表す終了情報として終端フラグ（：偽）が送信される（Ｓ１０９’）。
一方、受信側電子黒板２ｂは、送信側電子黒板２ａから送信された分割ストローク情報を受信する（Ｓ２０１’）。
送信側電子黒板２ａにおいて、イベント振分部２５は、電子ペン４がディスプレイ３から離脱するとペンアップイベントを検知する（Ｓ１０２）。
送信側電子黒板２ａは、電子ペン４がディスプレイ３から離脱した場合に、分割ストローク情報を受信側電子黒板２ｂに送信する（Ｓ１０９”）。この結果、送信側電子黒板２ａから受信側電子黒板２ｂに、分割ストローク情報として、終了時刻、座標配列、座標検知が終了したことを表す座標検知終了情報として終端フラグ（：真）が送信される。
一方、受信側電子黒板２ｂは、送信側電子黒板２ａから送信された分割ストローク情報を受信する（Ｓ２０１’）。
よって、例えば、上述したように、ユーザが電子ペン４によってアルファベット「Ｔ」を描く場合は二筆書きとなるため、２つのストロークデータＩＤのそれぞれで示されるストローク画像（Ｂ）のデータが順次送信される。この際、各ストローク画像は一定時間が経過した都度、分割されて順次送信される。
【００８２】
図１２は、送信側電子黒板２ａにおいて電子ペンがディスプレイ３に進入してから離脱するまでの分割ストローク情報を送信するためのフローチャートである。
電子ペン４がディスプレイ３に接近又は接触すると、イベント振分部２５においてペンダウンイベントが検知され、ペンダウンイベントがストローク処理部３２に出力される（Ｓ１０１）。この際、タイマによる計時を開始する。
次いで、電子ペン４がディスプレイ３から離脱すると、イベント振分部２５においてペンアップイベントが検知され、ペンアップイベントがストローク処理部３２に出力されるので、ストローク処理部３２は、ペンアップイベントが入力されたか否かを判断する（Ｓ１０２）。
ストローク処理部３２は、ペンアップイベントが入力されない場合（Ｓ１０２、ＮＯ）にステップＳ１０３に進む。一方、ペンアップイベントが入力された場合（Ｓ１０２、ＹＥＳ）にステップＳ１０４に進む。
ストローク処理部３２は、ステップＳ１０１において接触検知があってから一定時間が経過したか否かを判断する（ステップＳ１０３）。ストローク処理部３２は、一定時間が経過した場合（Ｓ１０３、ＹＥＳ）にステップＳ１２０に進む。一方、一定時間が経過していない場合（Ｓ１０３、ＮＯ）にステップＳ１０２に戻る。
【００８３】
ペンアップイベントが入力された場合に、ストローク処理部３２は、分割ストローク情報の終端フラグを真に設定する（Ｓ１０４）。
次いで、ストローク処理部３２は、分割ストローク情報に終了時刻を追加し（Ｓ１０５）、ステップＳ１０６に進む。
【００８４】
ストローク処理部３２は、一定時間が経過した場合（Ｓ１０３、ＹＥＳ）に、ストローク処理部３２は、分割ストローク情報の終端フラグを偽に設定し（Ｓ１２０）、ステップＳ１０６に進む。
ストローク処理部３２は、電子ペンがディスプレイ３に進入して接近又は接触した後、初めて送信する分割ストローク情報か否かを判断する（Ｓ１０６）。ストローク処理部３２は、初めて送信する分割ストローク情報である場合（Ｓ１０６、ＹＥＳ）にステップＳ１０７に進む。一方、初めて送信する分割ストローク情報ではない場合（Ｓ１０６、ＮＯ）にステップＳ１０８に進む。
次いで、ストローク処理部３２は、ストロークデータＩＤ、開始時間、色、幅を分割ストローク情報に追加する（Ｓ１０７）。
次いで、ストローク処理部３２は、未送信の座標配列データを分割ストローク情報に追加する（Ｓ１０８）。
次いで、ストローク処理部３２は、分割ストローク情報を送信する（Ｓ１０９）。
【００８５】
次いで、ストローク処理部３２は、終端フラグ（：真）の分割ストローク情報を送信したか否かを判断する（Ｓ１１０）。ストローク処理部３２は、終端フラグ（：真）の分割ストローク情報を送信した場合（Ｓ１０、ＹＥＳ）に処理を終了する。一方、終端フラグ（：真）の分割ストローク情報を送信していない場合（Ｓ１１０、ＮＯ）にステップＳ１０２に戻る。
なお、分割ストローク情報がストローク情報の最後の断片である場合には、上述したステップＳ１０４で終端フラグが真となるので、終端フラグが真の場合には１つのストローク情報のうちの全ての分割ストローク情報の送信が完了したことを示すので、受信側電子黒板２ｂにおいて分割ストローク情報の結合を促すこととなる。
また、上述したように、１つのストローク情報の最初の断片である分割ストローク情報を送信する場合には、ストロークの描画に必要な色・幅の情報とストロークの保存に必要なストロークデータＩＤを付与する。
さらに、電子ペン４がディスプレイ３から離脱されるまで、ステップＳ１０２からＳ１１０の間にあるステップをループする。一度、分割ストローク情報を送信するとループ（ステップＳ１０２からＳ１１０）を戻る間に分割ストローク情報はリセット（データクリア）されることとする。
このように、電子ペン４が表示画面に進入した時点を始点として一定時間単位でストローク情報を分割して分割ストローク情報を連続して生成し、生成された分割ストローク情報に当該ストロークが継続中であることを表す継続情報を付加して第２の画像処理部３０に送信し、電子ペン４が表示画面から離脱した場合に、生成された分割ストローク情報に当該ストロークが終了したことを表す終了情報を付加して第２の画像処理部３０に送信するので、電子ペン４が表示画面に進入してから離脱するまでの１つのストローク情報を一定時間単位に分割して扱う場合でも、複数に分割されたストローク情報を１つのストローク情報に再現して扱うことが可能になる。
【００８６】
図１３は、受信側電子黒板２ｂにおいて、分割ストローク情報を受信し、結合、描画するためのフローチャートである。
なお、ステップＳ２０１に示す分割ストローク情報の受信は、図１１に示すシーケンス図のステップＳ２０１に対応している。すなわち、図１３に示すフローチャートは分割ストローク情報を受信するたびに処理される。
通信制御部６０は、通信ネットワーク９を介して送信側電子黒板２ａから分割ストローク情報を受信する（Ｓ２０１）。
すなわち、通信制御部６０は、送信側電子黒板２ａから受信した分割ストローク情報を遠隔操作受信部６６に出力し、遠隔操作受信部６６は分割ストローク情報を画像処理部３０に出力し、さらに、画像処理部３０は分割ストローク情報をストローク処理部３２に出力し、ストローク処理部３２は分割ストローク情報をページ処理部３７に出力し、さらに、ページ処理部３７は分割ストローク情報をページデータ記憶部３００に記憶する。
ページ処理部３７は、これまでに受信した分割ストローク情報を、ページデータ記憶部３００の分割ストロークテーブル３００ａ内に記憶された分割ストローク情報と結合する（Ｓ２０２）。
ページ処理部３７は、結合された分割ストローク情報を表示重畳部３６に出力し、表示重畳部３６において各レイヤ（Ａ）〜（Ｄ）の画像を重畳した画像を生成して映像重畳部２８に出力する。さらに、映像重畳部２８において各レイヤの画像に映像信号を重畳した映像信号を生成し、ディスプレイ３の画面に描画する（Ｓ２０３）。
このように、新たに受信した分割ストローク情報に継続情報が付加されている場合には、分割ストローク管理テーブル３００ａに保存中の分割ストローク情報に新たな分割ストローク情報を結合して分割ストローク管理テーブル３００ａに保存することで、分割ストローク情報を一まとまりの情報として扱うことができる。
【００８７】
次いで、ページ処理部３７は、受信し分割ストローク情報の終端フラグが真か否かを判断する（Ｓ２０４）。受信し分割ストローク情報の終端フラグが真である場合（Ｓ２０４、ＹＥＳ）に、ステップＳ２０６に進む。一方、受信し分割ストローク情報の終端フラグが真ではなく偽である場合（Ｓ２０４、ＮＯ）に、ステップＳ２０５に進む。
受信し分割ストローク情報の終端フラグが偽である場合（Ｓ２０４、ＮＯ）、受信した分割ストローク情報を一時的にページデータ記憶部３００の分割ストローク管理テーブル３００ａに記憶する（Ｓ２０５）。
【００８８】
一方、受信し分割ストローク情報の終端フラグが真である場合（Ｓ２０４、ＹＥＳ）、結合されたストローク情報をページデータ記憶部３００のストローク管理テーブル３００ｂに記憶する（Ｓ２０６）。
次いで、ページ処理部３７は、ページデータ記憶部３００の分割ストローク管理テーブル３００ａに記憶された分割ストローク情報を全て削除する（Ｓ２０７）。
上述したステップＳ２０４での判断処理により、このとき受信した分割ストローク情報の終端フラグが真であった場合、結合したストローク情報は送信側電子黒板２ａにおいて電子ペン４がディスプレイ４に進入して接近又は接触してから離脱するまでの全ての分割ストローク情報を網羅していると判断できる。
よって、このストローク情報をステップＳ２０６、Ｓ２０７でこれまでに描画されたストローク情報全てを管理するストローク管理テーブル３００ｂに移し替える。このストローク管理テーブル３００ｂに保存することにより、他のストローク情報と同様の削除などの操作が可能になる。
これにより、分割ストローク情報の受信開始から終了情報までの結合後のストローク情報を一単位として削除することができる。また、結合後のストローク情報を一単位として表示位置を他の位置に移動することができる。
このように、通信ネットワークを介して分割ストローク情報を受信し、分割ストローク情報の受信開始から終了情報までの分割ストローク情報を結合して保存することで、受信開始から終了情報までの分割ストローク情報を一まとまりの情報として扱うことができる。
また、受信した分割ストローク情報に終了情報が付加されている場合には、分割ストローク管理テーブル３００ａに保存中の分割ストローク情報に新たな分割ストローク情報を結合し、結合後の一まとまりの分割ストローク情報をストローク情報としてストローク管理テーブル３００ｂに保存するので、受信開始から終了情報までの分割ストローク情報を一まとまりの情報として扱うことができる。
さらに、ストローク情報をストローク管理テーブル３００ｂに保存した後に、分割ストローク管理テーブル３００ａに保存中の分割ストローク情報を全て削除することで、分割ストローク管理テーブル３００ａから分割ストローク情報を全て削除することができる。
【００８９】
図７に戻り、ストローク管理テーブルについて説明する。
ＣＢＳの通常のストローク管理と同様。ストロークを配列として持ち、またそれぞれのストロークが座標データを配列として持つ。
【００９０】
図１４は、ページデータ記憶部３００のストローク管理テーブル３００ｂのデータ構成について説明するための図である。
ストローク管理テーブル３００ｂは、ストローク情報として、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データを示しており、結合完了前の１ストロークに対応している。
更に、この座標配列データは、図１５に示されているように詳細な情報を示している。図１５は、座標配列データの構成を示す概念図である。図１５に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。
【００９１】
図１６は、送信側電子黒板と受信側電子黒板との間で通信される分割ストローク情報のデータ構成について説明するための図である。
分割ストローク管理テーブル３００ａは、分割ストローク情報として、１つの分割ストロークデータは、この分割ストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データ、この分割ストローク情報がストロークの終端であるか否かを表す終端フラグ（：偽）を示している。
更に、この座標配列データは、図１７に示されているように詳細な情報を示している。図１７は、座標配列データの構成を示す概念図である。図１７に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。
なお、分割ストローク情報のうち開始時刻や色などの情報は、１つのストロークに対して１度送信すれば良いので、全ての分割ストローク情報の送信において開始時刻や色などの情報は送信されない。
【００９２】
電子ペンが接近又は接触したタイミングから一定時間でストローク情報を端末に送信し、かつ受信端末側で電子ペンが接近又は接触してから離脱するまでの単位で結合させるために末端のストローク情報は終端フラグを真にして送信するので、電子黒板情報共有システムにおいて、ストローク情報が一定時間以内に受信端末側に表示でき、かつ受信端末側でストロークを電子ペンが表示画面に進入してから離脱するまでのストロークの一単位で扱うことができるので、アンドゥ機能や削除機能などの操作ができる。
なお、電子黒板の表示画面にはユーザが操作機能を選択するためのツールバーが表示されている。アンドゥ機能は１つのストロークを一単位としてディスプレイ３上に表示されているストロークを各ストローク単位で元に戻す機能をいう。また、削除機能は１つのストロークを一単位としてディスプレイ３上に表示されているストロークを各ストローク単位で選択して削除する機能をいう。
使用方法として、例えば、ディスプレイ３上に地図を表示しておき、Ａ地点からＺ地点に至るルートを筆記する際に、通過地点の異なる複数のルートをそれぞれストローク画像で描画した場合にも、１つのストロークを一単位としてアンドゥ機能や削除機能を用いることができる。
【００９３】
＜本発明の実施態様例の構成、作用、効果＞
＜第１態様＞
本態様の電子黒板２（画像処理装置）は、ディスプレイ３（表示手段）と、ディスプレイ３の表示画面に沿って移動することにより筆記操作を行う電子ペン４（指示体）と、表示画面に沿って移動する電子ペン４の各筆記座標を検知する座標検知部２２（座標検知手段）と、座標検知部２２が検知した座標の座標情報に基づいて、筆記操作によるストロークについての座標情報をストローク情報として生成するストローク処理部３２（ストローク情報生成手段）と、電子ペン４が表示画面に進入した時点を始点として一定時間単位でストローク情報を分割して分割ストローク情報を連続して生成するストローク処理部３２（分割生成手段）と、ストローク処理部３２により生成された分割ストローク情報に当該ストロークが継続中であることを表す継続情報を付加して電子黒板２（他の画像処理装置）に送信する通信制御部６０（第１のストローク送信手段）と、電子ペン４が表示画面から離脱した場合に、ストローク処理部３２により生成された分割ストローク情報に当該ストロークが終了したことを表す終了情報を付加して電子黒板２（他の画像処理装置）に送信する通信制御部６０（第２のストローク送信手段）と、を備えたことを特徴とする。
本態様によれば、電子ペン４が表示画面に進入した時点を始点として一定時間単位でストローク情報を分割して分割ストローク情報を連続して生成し、生成された分割ストローク情報に当該ストロークが継続中であることを表す継続情報を付加して電子黒板２（他の画像処理装置）に送信し、電子ペン４が表示画面から離脱した場合に、生成された分割ストローク情報に当該ストロークが終了したことを表す終了情報を付加して電子黒板２（他の画像処理装置）に送信するので、電子ペン４が表示画面に進入してから離脱するまでのストローク情報を一定時間単位に分割して扱う場合でも、複数に分割されたストローク情報をストローク情報に再現して扱うことが可能になる。
【００９４】
＜第２態様＞
本態様の画像処理システムは、第１態様記載の電子黒板２（画像処理装置）と、第２の電子黒板２（他の画像処理装置）と、を備えた画像処理システム１であって、第２の電子黒板２（他の画像処理装置）は、電子黒板２（画像処理装置）から通信ネットワークを介して分割ストローク情報を受信する通信制御部６０（受信手段）と、分割ストローク情報の受信開始から終了情報までの分割ストローク情報を結合して分割ストローク管理テーブル３００ａ（第１の記憶手段）に保存するストローク処理部３２（結合保存手段）と、を備えたことを特徴とする。
本態様によれば、通信ネットワークを介して分割ストローク情報を受信し、分割ストローク情報の受信開始から終了情報までの分割ストローク情報を結合して保存することで、受信開始から終了情報までの分割ストローク情報を一まとまりの情報として扱うことができる。
【００９５】
＜第３態様＞
本態様のストローク処理部３２（結合保存手段）は、通信制御部６０（受信手段）により新たに受信した分割ストローク情報に継続情報が付加されている場合には、分割ストローク管理テーブル３００ａ（第１の記憶手段）に保存中の分割ストローク情報に新たな分割ストローク情報を結合して分割ストローク管理テーブル３００ａ（第１の記憶手段）に保存することを特徴とする。
本態様によれば、新たに受信した分割ストローク情報に継続情報が付加されている場合には、分割ストローク管理テーブル３００ａに保存中の分割ストローク情報に新たな分割ストローク情報を結合して分割ストローク管理テーブル３００ａに保存することで、分割ストローク情報を一まとまりの情報として扱うことができる。
【００９６】
＜第４態様＞
本態様のストローク処理部３２（結合保存手段）は、通信制御部６０（受信手段）により受信した分割ストローク情報に終了情報が付加されている場合には、分割ストローク管理テーブル３００ａ（第１の記憶手段）に保存中の分割ストローク情報に新たな分割ストローク情報を結合し、結合後の一まとまりの分割ストローク情報をストローク情報としてストローク管理テーブル３００ｂ（第２の記憶手段）に保存することを特徴とする。
本態様によれば、受信した分割ストローク情報に終了情報が付加されている場合には、分割ストローク管理テーブル３００ａに保存中の分割ストローク情報に新たな分割ストローク情報を結合し、結合後の一まとまりの分割ストローク情報をストローク情報としてストローク管理テーブル３００ｂに保存するので、受信開始から終了情報までの分割ストローク情報を一まとまりの情報として扱うことができる。
【００９７】
＜第５態様＞
本態様のストローク処理部３２（結合保存手段）は、ストローク情報をストローク管理テーブル３００ｂ（第２の記憶手段）に保存した後に、分割ストローク管理テーブル３００ａ（第１の記憶手段）に保存中の分割ストローク情報を全て削除することを特徴とする。
本態様によれば、ストローク情報をストローク管理テーブル３００ｂに保存した後に、分割ストローク管理テーブル３００ａに保存中の分割ストローク情報を全て削除することで、分割ストローク管理テーブル３００ａから分割ストローク情報を全て削除することができる。
【００９８】
＜第６態様＞
本態様の画像処理方法は、第１態様に記載の電子黒板２による画像処理方法であって、第１の画像処理部３０は、電子ペン４が表示画面に進入した時点を始点として一定時間単位でストローク情報を分割して分割ストローク情報を連続して生成する分割生成ステップ（Ｓ１２０、Ｓ１０７、Ｓ１０８）と、生成された分割ストローク情報に当該ストロークが継続中であることを表す継続情報を付加して電子黒板２（他の画像処理装置）に送信する第１のストローク送信ステップ（Ｓ１２０、Ｓ１０９）と、電子ペン４が表示画面から離脱した場合に、生成された分割ストローク情報に当該ストロークが終了したことを表す終了情報を付加して電子黒板２（他の画像処理装置）に送信する第２のストローク送信ステップ（Ｓ１０４、Ｓ１０９）と、を実行することを特徴とする。
本態様によれば、電子ペン４が表示画面に進入した時点を始点として一定時間単位でストローク情報を分割して分割ストローク情報を連続して生成し、生成された分割ストローク情報に当該ストロークが継続中であることを表す継続情報を付加して第２の画像処理部３０に送信し、電子ペン４が表示画面から離脱した場合に、生成された分割ストローク情報に当該ストロークが終了したことを表す終了情報を付加して電子黒板２（他の画像処理装置）に送信するので、電子ペン４が表示画面に進入してから離脱するまでのストローク情報を一定時間単位に分割して扱う場合でも、複数に分割されたストローク情報を１つのストローク情報に再現して扱うことが可能になる。
【００９９】
＜第７態様＞
本態様の電子黒板２（他の画像処理装置）は、電子黒板２（画像処理装置）から通信ネットワークを介して分割ストローク情報を受信する受信ステップ（Ｓ２０１）と、分割ストローク情報の受信開始から終了情報までの分割ストローク情報を結合して分割ストローク管理テーブル３００ａ（第１の記憶手段）に保存する結合保存ステップ（Ｓ２０２）と、を実行することを特徴とする。
本態様によれば、通信ネットワークを介して分割ストローク情報を受信し、分割ストローク情報の受信開始から終了情報までの分割ストローク情報を結合して保存することで、受信開始から終了情報までの分割ストローク情報を一まとまりの情報として扱うことができる。
【０１００】
＜第８態様＞
本態様のプログラムは、第６態様記載の各ステップをプロセッサに実行させることを特徴とするプログラム。
本態様によれば、各ステップをプロセッサに実行させることができる。
【０１０１】
＜第９態様＞
本態様のプログラムは、第７態様記載の各ステップをプロセッサに実行させることを特徴とするプログラム。
本態様によれば、各ステップをプロセッサに実行させることができる。
【符号の説明】
【０１０２】
１…画像処理システム、２…電子黒板、３…ディスプレイ、４…電子ペン、５…ＵＳＢメモリ、６…ノートＰＣ、７…テレビ会議端末、８…ＰＣ、９…通信ネットワーク、１０ａ１…ケーブル、２０…クライアント機、９０…サーバ機、２０…クライアント部、９０…サーバ部、２０…クライアント機、２１…映像取得部、２２…座標検知部、２３…自動調整部、２４…接触検知部、２５…イベント振分部、２６…操作処理部、２７…ジェスチャ処理部２８…映像重畳部、２９…指判別部、２９−１…指判別部、２９−２…指入力開始待機タイマ、３０…画像処理部、３１…画像取得部、３８…マーカー処理部、２…ストローク処理部、３６…表示重畳部、３３…ＵＩ画像生成部、３４…背景生成部、３５…レイアウト管理部、３９…コンテキスト処理部、３７…ページ処理部、４０…ファイル処理部、４１…リカバリ処理部、４３…ファイル変換部、４４…ファイル送信部、４５…アドレス帳入力部、４６…バックアップ処理部、４７…バックアップ出力部、４８…設定管理部、６０…通信制御部、６１…遠隔開始処理部、６２…遠隔参加処理部、６３…遠隔画像送信部、６４…遠隔画像受信部、６５…遠隔操作送信部、６６…遠隔操作受信部、６８…遠隔コンテキスト送信部、６７…遠隔コンテキスト受信部、７１…遠隔接続要求受信部、８０…データ管理部、７２…遠隔接続結果送信部、８１…遠隔接続処理部、８２…遠隔画像処理部、８３…遠隔操作処理部、８４…操作合成処理部、１０１…ＣＰＵ、１０２…ＲＯＭ、１０３…ＲＡＭ、１０４…ＳＳＤ、１０５…ネットワークコントローラ、１０６…外部記憶コントローラ、１１１…キャプチャデバイス、１１３…ディスプレイコントローラ、１１５…接触センサ、１１４…センサコントローラ、１１６…電子ペンコントローラ、１１２…ＧＰＵ、１２０…バスライン、３００…ページデータ記憶部、３００ａ…分割ストローク管理テーブル、３００ｂ…ストローク管理テーブル、３１０…遠隔ライセンス管理テーブル、４１０…アドレス帳管理テーブル、４２０…バックアップデータ記憶部、４３０…設定ファイル記憶部、４４０…接続先管理テーブル、６１０…参加拠点管理テーブル、８１０…パスコード管理部、８３０…画像データ管理部、８４０…操作データ記憶部
【先行技術文献】
【特許文献】
【０１０３】
【特許文献１】特開２００９−２１８８６８公報
【図１】
2016076775.tif 000003
【図２】
2016076775.tif 000004
【図３】
2016076775.tif 000005
【図４】
2016076775.tif 000006
【図５】
2016076775.tif 000007
【図６】
2016076775.tif 000008
【図７】
2016076775.tif 000009
【図８】
2016076775.tif 000010
【図９】
2016076775.tif 000011
【図１０】
2016076775.tif 000012
【図１１】
2016076775.tif 000013
【図１２】
2016076775.tif 000014
【図１３】
2016076775.tif 000015
【図１４】
2016076775.tif 000016
【図１５】
2016076775.tif 000017
【図１６】
2016076775.tif 000018
【図１７】
2016076775.tif 000019